(57)【要約】    【課題】栽培用ベンチにおける支持枠の組み立て作業を大幅に簡略化することができ、従来、支持枠の組み立て作業に要していた時間と手間とを大幅に削減することができる栽培用ベンチ及び栽培用ベンチ装置を提供すること。【解決手段】支持枠１４が所定の間隔をおいて平行状に配される一対の縦枠１５と、前記縦枠１５間に横架される複数の横枠１６とからなり、前記縦枠１５の向き合う内方面側には第１のフック部１５ａと弾性アーム１５ｃを介した第２のフック部１５ｂとが長手方向に連続して設けられ、前記横枠１６端部の上面及び下面には前記縦枠１５の第１のフック部１５ａが係合する第１の係合溝１６ａ又は第２のフック部１５ｂが係合する第２の係合溝１６ｂのいずれか一方が形成されており、前記縦枠１５の第１のフック部１５ａ及び第２のフック部１５ｂが前記横枠１６上面及び下面のいずれか一方に形成した第１の係合溝１６ａ又は第２の係合溝１６ｂにそれぞれ係合することで支持枠１４が組み立てられていることを特徴とする。  【選択図】図４
2006006226.tif 000002
【特許請求の範囲】
【請求項１】
支持枠内にベンチ部材が装着されるようにした栽培用ベンチにおいて、
前記支持枠が所定の間隔をおいて平行状に配される一対の縦枠と、前記縦枠間に横架される複数の横枠とからなり、
前記縦枠の向き合う内方面側には第１のフック部と弾性アームを介した第２のフック部とが長手方向に連続して設けられ、前記横枠端部の上面及び下面には前記縦枠の第１のフック部が係合する第１の係合溝又は第２のフック部が係合する第２の係合溝のいずれか一方が形成されており、
前記縦枠の第１のフック部及び第２のフック部が前記横枠上面及び下面のいずれか一方に形成した第１の係合溝又は第２の係合溝にそれぞれ係合することで支持枠が組み立てられていることを特徴とする栽培用ベンチ。
【請求項２】
縦枠の向き合う内方面側下端に第１のフック部または弾性アームを介した第２のフック部が長手方向に連続して設けられていると共に、前記第１のフック部又は第２のフック部の上方近傍に第２のフック部又は第１のフック部が長手方向に連続して設けられており、前記縦枠の向き合う内方面側下端に設けた第１のフック部又は第２のフック部が前記横枠端部下面に形成した第１の係合溝又は第２の係合溝に係合し、第１のフック部又は第２のフック部の上方近傍に設けた第２のフック部又は第１のフック部が前記横枠端部上面に形成した第２の係合溝又は第１の係合溝に係合することで支持枠が組み立てられていることを特徴とする請求項１記載の栽培用ベンチ。
【請求項３】
一の縦枠の向き合う内方面側下端に弾性アームを介した第２のフック部が長手方向に連続して設けられていると共に、前記第２のフック部の上方近傍に第１のフック部が長手方向に連続して設けられており、前記一の縦枠の第１のフック部が横枠一端部上面に形成した第１の係合溝に係合すると共に、前記一の縦枠の第２のフック部が前記横枠一端部下面に形成した第２の係合溝に係合し、他の縦枠の向き合う内方面側下端に第１のフック部が長手方向に連続して設けられていると共に、前記第１のフック部の上方近傍に弾性アームを介した第２のフック部が長手方向に連続して設けられており、前記他の縦枠の第２のフック部が横枠他端部上面に形成した第２の係合溝に係合すると共に、前記他の縦枠の第１のフック部が前記横枠他端部下面に形成した第１の係合溝に係合することで支持枠が組み立てられていることを特徴とする請求項１記載の栽培用ベンチ。
【請求項４】
請求項１〜３のいずれかに記載の栽培用ベンチと、栽培用ベンチをスライド可能に支持する架台からなり、前記架台は座部と複数の中空部材とこれら中空部材相互を連結する連結部材とを備えており、前記連結部材は中空部材を縦方向に連結する第１連結部と、前記中空部材を横方向に連結する第２連結部と、前記中空部材を垂直方向に連結する第３連結部とからなることを特徴とする栽培用ベンチ装置。
【請求項５】
連結部材の第１連結部が第２連結部よりも上方に位置するように設けられていることを特徴とする請求項４記載の栽培用ベンチ装置。
【発明の詳細な説明】
【技術分野】
【０００１】
本発明は、温室やビニールハウス内に設置され、植物栽培に利用される栽培用ベンチ及び栽培用ベンチ装置に関する。詳細には栽培用ベンチにおける支持枠の組み立て作業を大幅に簡略化することができる栽培用ベンチ及び栽培用ベンチ装置に関する。
【背景技術】
【０００２】
従来、栽培用ベンチ装置１としては、例えば図１３に示すように、支持枠３内にベンチ部材４を装着した栽培用ベンチ２と、栽培用ベンチ２をスライド可能に支持する架台５からなるものが知られている（例えば特許文献１参照）。
【特許文献１】実開平７−１７０２９号公報
【発明の開示】
【発明が解決しようとする課題】
【０００３】
ところが、この栽培用ベンチ装置１における栽培用ベンチ２を構成する支持枠３は、縦横の枠材相互がボルトやビス６による締結や溶接などの接合手段によって組み立てられていたため、その組み立て作業には多くの時間と手間とを要していた。
【０００４】
例えば温室やビニールハウス内には数台〜数百台の栽培用ベンチが設置される。設置される栽培用ベンチの大きさは様々であるが、一般に幅が約９００〜１８００ｍｍ、長さが約６０００〜２００００ｍｍの大きさのものが多く使用されている。栽培用ベンチにおける支持枠には、１５００〜２０００ｍｍほどの長さに設けたアルミニウムや鋼材を素材とする枠材が多数使用されており、これらの枠材を縦横に組み合わせて各端部を接合することで支持枠の組み立てがなされている。
【０００５】
このため、枠材の接合箇所は数万箇所にも及ぶことがあり、ボルトやビスによる締結や溶接などの従来の接合手段によって枠材端部を接合した場合には、１つの温室やビニールハウス内に設置する支持枠を組み立てるのに２０日ほどの日数を要していた。特にアルミニウム製の枠材を溶接によって接合する場合、アルミニウムの溶接自体、特殊な溶接であり、高度の熟練を要していた。
【０００６】
本発明は、このような事情に鑑みなされたものであり、栽培用ベンチにおける支持枠の組み立て作業を大幅に簡略化することができ、従来、支持枠の組み立て作業に要していた時間と手間とを大幅に削減することができる栽培用ベンチ及び栽培用ベンチ装置を提供することを目的とするものである。
【課題を解決するための手段】
【０００７】
上記課題を解決するため、請求項１記載の発明は、支持枠内にベンチ部材が装着されるようにした栽培用ベンチにおいて、
前記支持枠が所定の間隔をおいて平行状に配される一対の縦枠と、前記縦枠間に横架される複数の横枠とからなり、
前記縦枠の向き合う内方面側には第１のフック部と弾性アームを介した第２のフック部とが長手方向に連続して設けられ、前記横枠端部の上面及び下面には前記縦枠の第１のフック部が係合する第１の係合溝又は第２のフック部が係合する第２の係合溝のいずれか一方が形成されており、
前記縦枠の第１のフック部及び第２のフック部が前記横枠上面及び下面のいずれか一方に形成した第１の係合溝又は第２の係合溝にそれぞれ係合することで支持枠が組み立てられていることを特徴とする栽培用ベンチをその要旨とした。
【０００８】
請求項２記載の発明は、縦枠の向き合う内方面側下端に第１のフック部または弾性アームを介した第２のフック部が長手方向に連続して設けられていると共に、前記第１のフック部又は第２のフック部の上方近傍に第２のフック部又は第１のフック部が長手方向に連続して設けられており、前記縦枠の向き合う内方面側下端に設けた第１のフック部又は第２のフック部が前記横枠端部下面に形成した第１の係合溝又は第２の係合溝に係合し、第１のフック部又は第２のフック部の上方近傍に設けた第２のフック部又は第１のフック部が前記横枠端部上面に形成した第２の係合溝又は第１の係合溝に係合することで支持枠が組み立てられていることを特徴とする請求項１記載の栽培用ベンチをその要旨とした。
【０００９】
請求項３記載の発明は、一の縦枠の向き合う内方面側下端に弾性アームを介した第２のフック部が長手方向に連続して設けられていると共に、前記第２のフック部の上方近傍に第１のフック部が長手方向に連続して設けられており、前記一の縦枠の第１のフック部が横枠一端部上面に形成した第１の係合溝に係合すると共に、前記一の縦枠の第２のフック部が前記横枠一端部下面に形成した第２の係合溝に係合し、他の縦枠の向き合う内方面側下端に第１のフック部が長手方向に連続して設けられていると共に、前記第１のフック部の上方近傍に弾性アームを介した第２のフック部が長手方向に連続して設けられており、前記他の縦枠の第２のフック部が横枠他端部上面に形成した第２の係合溝に係合すると共に、前記他の縦枠の第１のフック部が前記横枠他端部下面に形成した第１の係合溝に係合することで支持枠が組み立てられていることを特徴とする請求項１記載の栽培用ベンチをその要旨とした。
【００１０】
請求項４記載の発明は、請求項１〜３のいずれかに記載の栽培用ベンチと、栽培用ベンチをスライド可能に支持する架台からなり、前記架台は座部と複数の中空部材とこれら中空部材相互を連結する連結部材とを備えており、前記連結部材は中空部材を縦方向に連結する第１連結部と、前記中空部材を横方向に連結する第２連結部と、前記中空部材を垂直方向に連結する第３連結部とからなることを特徴とする栽培用ベンチ装置。
【００１１】
請求項５記載の発明は、連結部材の第１連結部が第２連結部よりも上方に位置するように設けられていることを特徴とする請求項４記載の栽培用ベンチ装置をその要旨とした。
【発明の効果】
【００１２】
本発明の栽培用ベンチ及び栽培用ベンチ装置にあっては、縦枠の向き合う内方面側に設けた第１のフック部及び弾性アームを介した第２のフック部を、横枠端部の上面に形成した第１の係合溝、又は横枠端部の下面に形成した第２の係合溝にそれぞれ係合させることで支持枠の組み立てがなされるようになっており、栽培用ベンチにおける支持枠の組み立て作業を大幅に簡略化することができ、このため、例えば従来、２０日ほどの日数を要していた支持枠の組み立て作業を１０日ほどで完了できるなど、支持枠の組み立て作業に要していた時間と手間とを大幅に削減することができる。
【発明を実施するための最良の形態】
【００１３】
以下、本発明の栽培用ベンチ及び栽培用ベンチ装置を図面に示した一実施の形態に従って、更に詳しく説明する。図１〜図３に示すように、本発明の栽培用ベンチ装置１１は、栽培用ベンチ１２と、栽培用ベンチ１２をスライド可能に支持する架台２０からなる。
【００１４】
架台２０は、栽培用ベンチ１２をスライド可能に支持する台であり、座部２１と複数の中空部材２２とこれら中空部材２２相互を連結する連結部材２３とを備えている。座部２１は、床面との設置面積を大きくして当該架台２０のズレ、転倒を防止して安定に支持できるものならば特に限定されない。図３に示す座部２１の場合、円盤状をなし床面との設置面積を大きくして安定性を確保している。この座部２１には、中空部材２２の端部を高さ調節可能に取付固定する取付部２１ａを有している。
【００１５】
この座部２１上に中空部材２２と連結部材２３とを組み合わせて台構造が組み立てられている。中空部材２２は、アルミニウム、鋼、プラスチックなどを素材とする、円形、四角形、多角形、Ｃ字型又はコ字型の断面形状を有する管材である。
【００１６】
連結部材２３は２つの中空部材２２を縦方向に連結する第１連結部２３ａと、前記中空部材２２を横方向に連結する第２連結部２３ｂと、前記中空部材２２を垂直方向に連結する第３連結部２３ｃの３つの連結部からなる。これらの第１、第２、第３の各連結部２３ａ、２３ｂ、２３ｃは、いずれも前記中空部材２２の断面形状並びに大きさに対応した内径を有する筒状体からなり、中空部材２２端部が挿入可能となっている。
【００１７】
第１の各連結部２３ａの場合、図２中矢印で示すように、それぞれ２つの中空部材２２を挿入するため、孔が貫通した筒状体となっており、第２及び第３の各連結部２３ｂ、２３ｃについては、中空部材２２を横方向又は垂直方向から挿入して固定するため、挿入側のみが開口する筒状体となっている。
【００１８】
そして、これら第１、第２、第３の各連結部２３ａ、２３ｂ、２３ｃ内にそれぞれ中空部材２２端部を挿入した状態で、各連結部２３ａ、２３ｂ、２３ｃの側面に形成した複数のボルト又はビス孔（図示しない）を通してボルト又はビス２４で締結することで、中空部材２２の連結がなされるようになっている。
【００１９】
図示の例では、鉄パイプからなる中空部材２２下端が座部２１の取付部２１ａ上に立設固定され、この中空部材２２上端が中空部材２２上端が嵌る内径を有する第３の連結部２３ｃ内に挿入され、ボルト又はビス２４で締結することで連結固定されている。また、連結部材２３の第１の連結部２３ａ両端の２つの開口にはそれぞれ２つの中空部材２２端部が挿入され、同じく第１の連結部２３ａの側面に形成した複数のボルト又はビス孔（図示しない）を通してボルト又はビス２４で締結することで２つの中空部材２２が縦方向に連結固定されている。さらに、第２の連結部２３ｂに中空部材２２端部が挿入され、これをボルト又はビス２４で締結することで、中空部材２２を横方向に連結できるようになっている。
【００２０】
上記如く連結部材２３によって多数の中空部材２２を縦方向、横方向、垂直方向に連結して組み立てられた架台２０上に、詳しくは横方向に連結される中空部材２２上にスライドパイプ２５を介して栽培用ベンチ１２がスライド可能に支持されている。
【００２１】
尚、図面に示す例では、中空部材２２を縦方向に連結する第１連結部２３ａが、中空部材２２を横方向に連結する第２連結部２３ｂよりも上方に位置するように設けられている。上記のとおり、栽培用ベンチ１２は、第２の連結部２３ｂにより横方向に連結される中空部材２２上にスライドパイプ２５を介してスライド可能に支持される。このため、栽培用ベンチ１２をスライドさせたとき、スライドパイプ２５が第２連結部２３ｂよりも上方に位置する第１連結部２３ａに当接し、これにより、栽培用ベンチ１２のスライド幅が制限されるようになっている。
【００２２】
尚、図１〜図３には、架台２０上に１つの栽培用ベンチ１２が横方向にスライド可能に支持される例を示したが、これに限定されない。例えば架台２０の縦方向に連結される中空部材２２上にレールを設け、このレール上を縦方向に複数の栽培用ベンチ１２がスライド可能に横設されるようにするなど、栽培用ベンチを設置する温室やビニールハウスの規模や植物の種類などに応じて自由に設計すればよい。
【００２３】
栽培用ベンチ１２は支持枠１４とベンチ部材１７とからなる。この栽培用ベンチ１２の大きさや形状は任意であり、栽培用ベンチ１２を設置する温室やビニールハウスの規模や栽培規模、栽培する植物の種類などに応じて自由に設計することができる。
【００２４】
ベンチ部材１７には、栽培規模、栽培する植物の種類などに応じて、例えばエキスパンドメタル、アルミプール、プラスチックプール、サイドにガターを設けたマットなど、適宜選択して用いることができる。
【００２５】
支持枠１４は、本発明の最大の特徴をなすものであり、所定の間隔をおいて平行状に配される一対の縦枠１５と、前記縦枠１５間に横架される複数の横枠１６とからなる。
【００２６】
尚、支持枠１４の素材としては任意であるが、アルミニウム製、鋼製、プラスチック製など、所定の機械的強度、耐食性、加工容易性を有し、かつ軽量であり、容易に取り扱いができるものが好ましい。
【００２７】
図１及び図４〜図１２に示すように、支持枠１４を構成する一対の縦枠１５の向き合う内方面側には、第１のフック部１５ａと弾性アーム１５ｃを介した第２のフック部１５ｂとが設けられている。第１のフック部１５ａは、略Ｊの字状に先が曲がっている鉤型部分であり、第２のフック部１５ｂは、バネ弾性を有する弾性アーム１５ｃを介してその先端に設けた略Ｊの字状に先が曲がった鉤型部分である。これら第１のフック部１５ａ及び弾性アーム１５ｃを介した第２のフック部１５ｂは、ともに縦枠１５の向き合う内方面側に長手方向に亘って連続して設けられている。
【００２８】
図４〜図６に示す形態の場合、一対の縦枠１５の向き合う内方面側下端に弾性アーム１５ｃを介して第２のフック部１５ｂが設けられ、この第２のフック部１５ｂから横枠１６の高さ分だけの間隔をおいてその上方位置に第１のフック部１５ａが設けられている。
【００２９】
上記一対の縦枠１５間に横設される横枠１６端部の上面及び下面には前記縦枠１５の第１のフック部１５ａ又は第２のフック部１５ｂのそれぞれが係合する第１の係合溝１６ａ又は第２の係合溝１６ｂが形成されている。これら第１の係合溝１６ａ又は第２の係合溝１６ｂは、それぞれ第１のフック部１５ａ又は第２のフック部１５ｂの対応する位置に形成されており、各第１の係合溝１６ａ又は第２の係合溝１６ｂは、第１のフック部１５ａ又は第２のフック部１５ｂが係合したときに、容易に抜け出ることがない形状及び深さに設けられている。
【００３０】
図４〜図６に示す横枠１６の場合、横枠１６端部の上面に前記縦枠１５の第１のフック部１５ａの対応する位置に第１の係合溝１６ａが形成され、横枠１６端部の下面には前記縦枠１５の第２のフック部１５ｂの対応する位置に第２の係合溝１６ｂが形成されている。
【００３１】
そして、上記縦枠１５の向き合う内方面側下端に設けた第２のフック部１５ｂが横枠１６端部下面に形成した第２の係合溝１６ｂに係合し、第２のフック部１５ｂの上方近傍に設けた第１のフック部１５ａが前記横枠１６端部の上面に形成した第１の係合溝１６ａに係合することで支持枠１４が組み立てられている。
【００３２】
次に、図７〜図９に示す形態について説明する。この支持枠１４は、一対の縦枠１５の向き合う内方面側下端に第１のフック部１５ａが設けられ、この第１のフック部１５ａから横枠１６の高さ分だけの間隔をおいてその上方位置に弾性アーム１５ｃを介して第２のフック部１５ｂが設けられている。また、横枠１６端部の上面には前記縦枠１５の第２のフック部１５ｂの対応する位置に第２の係合溝１６ｂが形成され、横枠１６端部の下面には前記縦枠１５の第１のフック部１５ａの対応する位置に第１の係合溝１６ａが形成されている。
【００３３】
そして、上記縦枠１５の向き合う内方面側下端に設けた第１のフック部１５ａが横枠１６端部下面に形成した第１の係合溝１６ａに係合し、第１のフック部１５ａの上方近傍に設けた第２のフック部１５ｂが前記横枠１６端部の上面に形成した第２の係合溝１６ｂに係合することで支持枠１４が組み立てられている。
【００３４】
次に、図１０〜図１２に示す形態について説明する。この支持枠１４は、一の縦枠１５の向き合う内方面側下端には第１のフック部１５ａが設けられ、この第１のフック部１５ａの上方近傍に弾性アーム１５ｃを介して第２のフック部１５ｂが設けられている。また、横枠１６の一端部の上面には前記縦枠１５の第２のフック部１５ｂの対応する位置に第２の係合溝１６ｂが形成され、横枠１６の一端部の下面には前記縦枠１５の第１のフック部１５ａの対応する位置に第１の係合溝１６ａが形成されている。
【００３５】
一方、他の縦枠１５の向き合う内方面側下端には弾性アーム１５ｃを介して第２のフック部１５ｂが突設され、この第２のフック部１５ｂの上方位置に第１のフック部１５ａが設けられている。また、横枠１６の他端部の上面には前記縦枠１５の第１のフック部１５ａの対応する位置に第１の係合溝１６ａが形成され、横枠１６の他端部の下面には前記縦枠１５の第２のフック部１５ｂの対応する位置に第２の係合溝１６ｂが形成されている。
【００３６】
そして、上記一の縦枠１５の向き合う内方面側下端に設けた第１のフック部１５ａが横枠１６の一端部下面に形成した第１の係合溝１６ａに係合し、この第１のフック部１５ａの上方近傍に設けた第２のフック部１５ｂが前記横枠１６の一端部の上面に形成した第２の係合溝１６ｂに係合し、他の縦枠１５の向き合う内方面側下端に設けた第２のフック部１５ｂが横枠１６の他端部下面に形成した第２の係合溝１６ｂに係合し、この第２のフック部１５ｂの上方近傍に設けた第１のフック部１５ａが前記横枠１６の他端部の上面に形成した第１の係合溝１６ａに係合することで支持枠１４が組み立てられている。
【００３７】
次に、上述の栽培用ベンチの組み立て方法について説明する。まず、図４〜図６に示す形態について説明する。図５に示すように、一対の縦枠１５を所定の間隔をおいて平行状に配置する。各縦枠１５の一方面側には第１のフック部１５ａ及び弾性アーム１５ｃを介した第２のフック部１５ｂが長手方向に連続して設けられており、これら第１のフック部１５ａ及び弾性アーム１５ｃを介した第２のフック部１５ｂが内側となるように前記一対の縦枠１５を所定の間隔をおいて平行状に配置する。
【００３８】
次いで、一の縦枠１５の向き合う内方面側下端に弾性アーム１５ｃを介して設けた第２のフック部１５ｂの上方近傍に設けた第１のフック部１５ａを、横枠１６の一端部上面に形成した第１の係合溝１６ａに係合させながら、図５中矢印で示すように、横枠１６の他端を下方に回動させて前記一の縦枠１５の第２のフック部１５ｂに前記横枠１６の一端部下面に形成した第２の係合溝１６ｂに係合させる。この場合、第２のフック部１５ｂは、弾性アーム１５ｃの弾性力によって横枠１６の一端部下面に形成した第２の係合溝１６ｂに係合しているため、一旦係合した第２のフック部１５ｂが第２の係合溝１６ｂから容易に抜け出ることはない。
【００３９】
その後、図６に示すように、前記横枠１６の他端部上面に形成した第１の係合溝１６ａに他の縦枠１５の向き合う内方面側下端に設けた第２のフック部１５ｂの上方近傍に設けた第１のフック部１５ａを係合させながら、他の縦枠１５を図６中矢印方向に回動させて前記他の縦枠１５の第２のフック部１５ｂを横枠１６の他端部下面に形成した第２の係合溝１６ｂに係合させる。この場合、第２のフック部１５ｂは、弾性アーム１５ｃの弾性力によって横枠１６の他端部下面に形成した第２の係合溝１６ｂに係合しているため、一旦係合した第２のフック部１５ｂが第２の係合溝１６ｂから容易に抜け出ることはない。
【００４０】
上記操作を繰り返して縦枠１５の長さ方向に亘って所定の間隔に必要数だけ横枠１６を縦枠１５に横設することで支持枠１４を組み立てることができ、組み立てた支持枠１４内にベンチ部材１７を装着することで、図４に示す栽培用ベンチ１２の組み立てが完了する。
【００４１】
次に、図７〜図９に示す栽培用ベンチ（支持枠）の組み立て方法について説明する。まず、図８に示すように、各縦枠１５の一方面側に長手方向に連続して設けた第１のフック部１５ａ及び弾性アーム１５ｃを介した第２のフック部１５ｂが内側となるように前記一対の縦枠１５を所定の間隔をおいて平行状に配置する。
【００４２】
次いで、一の縦枠１５の向き合う内方面側下端に設けた第１のフック部１５ａを、横枠１６の一端部下面に形成した第１の係合溝１６ａに係合させながら、図８中矢印で示すように、横枠１６の他端を上方に回動させて前記一の縦枠１５の第１のフック部１５ａの上方近傍に弾性アーム１５ｃを介して設けた第２のフック部１５ｂを前記横枠１６の一端部上面に形成した第２の係合溝１６ｂに係合させる。この場合、第２のフック部１５ｂは、弾性アーム１５ｃの弾性力によって横枠１６の一端部上面に形成した第２の係合溝１６ｂに係合しているため、一旦係合した第２のフック部１５ｂが第２の係合溝１６ｂから容易に抜け出ることはない。
【００４３】
その後、図９に示すように、前記横枠１６の他端部下面に形成した第１の係合溝１６ａに他の縦枠１５の向き合う内方面側下端に設けた第１のフック部１５ａを係合させながら、他の縦枠１５を図９中矢印方向に回動させて前記他の縦枠１５の第１のフック部１５ａの上方近傍に弾性アーム１５ｃを介して設けた第２のフック部１５ｂを横枠１６の他端部上面に形成した第２の係合溝１６ｂに係合させる。この場合、第２のフック部１５ｂは、弾性アーム１５ｃの弾性力によって横枠１６の他端部上面に形成した第２の係合溝１６ｂに係合しているため、一旦係合した第２のフック部１５ｂが第２の係合溝１６ｂから容易に抜け出ることはない。
【００４４】
上記操作を繰り返して縦枠１５の長さ方向に亘って必要数だけ横枠１６を縦枠１５に横設することで支持枠１４を組み立てることができ、組み立てた支持枠１４内にベンチ部材１７を装着することで、図７に示す栽培用ベンチ１２の組み立てが完了する。
【００４５】
次に、図１０〜図１２に示す栽培用ベンチ（支持枠）の組み立て方法について説明する。まず、図１１に示すように、各縦枠１５の一方面側に長手方向に連続して設けた第１のフック部１５ａ及び弾性アーム１５ｃを介した第２のフック部１５ｂが内側となるように前記一対の縦枠１５を所定の間隔をおいて平行状に配置する。
【００４６】
次いで、一の縦枠１５の向き合う内方面側下端に設けた第１のフック部１５ａを、横枠１６の一端部下面に形成した第１の係合溝１６ａに係合させるとともに、他の縦枠１５の向き合う内方面側下端に弾性アーム１５ｃを介して設けた第２のフック部１５ｂの上方近傍に設けた第１のフック部１５ａを、横枠１６の他端部上面に形成した第１の係合溝１６ａに係合させながら、図１１中矢印方向に横枠１６を回動させる。
【００４７】
これにより、図１２に示すように、一の縦枠１５の第１のフック部１５ａの上方近傍に弾性アーム１５ｃを介して設けた第２のフック部１５ｂが前記横枠１６の一端部上面に形成した第２の係合溝１６ｂに係合し、同時に他の縦枠１５の向き合う内方面側下端に弾性アーム１５ｃを介して設けた第２のフック部１５ｂが横枠１６の他端部下面に形成した第２の係合溝１６ｂに係合することになる。この場合、各第２のフック部１５ｂは、弾性アーム１５ｃの弾性力によって横枠１６の一端部上面又は他端部下面に形成した第２の係合溝１６ｂにそれぞれ係合しているため、一旦係合した第２のフック部１５ｂが第２の係合溝１６ｂから容易に抜け出ることはない。
【００４８】
上記操作を繰り返して縦枠１５の長さ方向に亘って必要数だけ横枠１６を縦枠１５に横設することで支持枠１４を組み立てることができ、組み立てた支持枠１４内にベンチ部材１７を装着することで、図１０に示す栽培用ベンチ１２の組み立てが完了する。
【００４９】
尚、上記実施の形態に示した例は、単なる説明例に過ぎず、例えば第１のフック部又は第２のフック部の係合する第１の係合溝又は第２の係合溝の形状を第１のフック部又は第２のフック部に沿った形状に形成するなど、特許請求の範囲の欄に記載された範囲内で自由に変更することができる。
【図面の簡単な説明】
【００５０】
【図１】本発明の栽培用ベンチ装置を示した斜視図。
【図２】本発明の栽培用ベンチ装置における架台の要部を示した要部拡大斜視図。
【図３】本発明の栽培用ベンチ装置における架台を示した正面図。
【図４】本発明の栽培用ベンチを示した拡大断面図。
【図５】図４に示す支持枠の組み立て過程を示した拡大断面図。
【図６】図４に示す支持枠の組み立て過程を示した拡大断面図。
【図７】本発明の栽培用ベンチの別例を示した拡大断面図。
【図８】図７に示す支持枠の組み立て過程を示した拡大断面図。
【図９】図７に示す支持枠の組み立て過程を示した拡大断面図。
【図１０】本発明の栽培用ベンチのさらに別例を示した拡大断面図。
【図１１】図１０に示す支持枠の組み立て過程を示した拡大断面図。
【図１２】図１０に示す支持枠の組み立て過程を示した拡大断面図。
【図１３】従来の栽培用ベンチ装置を示した斜視図。
【符号の説明】
【００５１】
１１  ・・・栽培用ベンチ装置
１２  ・・・栽培用ベンチ
１３  ・・・架台
１５  ・・・縦枠
１５ａ  ・・・第１のフック部
１５ｂ  ・・・第２のフック部
１５ｃ  ・・・弾性アーム
１６   ・・・横枠
１６ａ  ・・・第１の係合溝
１６ｂ  ・・・第２の係合溝
１７  ・・・ベンチ部材
２０  ・・・架台
２１  ・・・座部
２２  ・・・中空部材
２３  ・・・連結部材
２３ａ  ・・・第１連結部
２３ｂ  ・・・第２連結部
２３ｃ  ・・・第３連結部
【図１】
2006006226.tif 000003
【図２】
2006006226.tif 000004
【図３】
2006006226.tif 000005
【図４】
2006006226.tif 000006
【図５】
2006006226.tif 000007
【図６】
2006006226.tif 000008
【図７】
2006006226.tif 000009
【図８】
2006006226.tif 000010
【図９】
2006006226.tif 000011
【図１０】
2006006226.tif 000012
【図１１】
2006006226.tif 000013
【図１２】
2006006226.tif 000014
【図１３】
2006006226.tif 000015